(57)【特許請求の範囲】
【請求項１】
トラップケーシングで入口と弁室と出口を形成し、弁室と出口を連通する主弁口を開閉する主弁体であるフロートを、補助のパイロット弁であるパイロットフロートによるパイロット弁口の開閉で変位する圧力応動部材により開閉制御せしめるものであって、パイロットフロートが浮上してパイロット弁口を開くと圧力応動部材が上方に駆動されてフロートが持ち上げられて主弁口を開き、パイロットフロートが降下してパイロット弁口を閉じると圧力応動部材がフロートの自重で下方に押し下げられてフロートが主弁口を閉じるものにおいて、パイロットフロートと圧力応動部材とを連結するパイロット通路に、パイロット通路を低温時に開き蒸気漏洩による高温時に閉じる感温応動弁を配置したことを特徴とするパイロット式スチームトラップ。
【発明の詳細な説明】
【技術分野】
【０００１】
本発明は蒸気配管系に発生する復水を排出するスチームトラップに関し、特に、補助のパイロット弁の開閉で変位する圧力応動部材により主弁体を駆動して主弁口を開閉するようにしたパイロット式スチームトラップに関する。
【背景技術】
【０００２】
このパイロット式スチームトラップは、例えば実開平４−４２９９７号公報に示されている。これは、トラップケーシングで入口と弁室と出口を形成し、弁室と出口を連通する主弁口を開閉する主弁体であるフロートを、補助のパイロット弁であるパイロットフロートによるパイロット弁口の開閉で変位する圧力応動部材により開閉制御せしめるものであって、パイロットフロートが浮上してパイロット弁口を開くと圧力応動部材が上方に駆動されてフロートが持ち上げられて主弁口を開き、パイロットフロートが降下してパイロット弁口を閉じると圧力応動部材がフロートの自重で下方に押し下げられてフロートが主弁口を閉じるものである。
【０００３】
上記従来のパイロット式スチームトラップにおいては、パイロットフロートが故障して閉弁できなくなりパイロット通路に蒸気を漏出すると、フロートが圧力応動部材により開弁せしめられて主弁口を閉じることができなくなる。そのため、主弁口から多量の蒸気を漏出してしまう問題点があった。
【発明の開示】
【発明が解決しようとする課題】
【０００４】
従って、本発明の技術的課題は、パイロットフロートが故障して閉弁できなくなった場合であっても、フロートが主弁口を開閉できるパイロット式スチームトラップを提供することである。
【課題を解決するための手段】
【０００５】
上記の技術的課題を解決するために講じた本発明の技術的手段は、トラップケーシングで入口と弁室と出口を形成し、弁室と出口を連通する主弁口を開閉する主弁体であるフロートを、補助のパイロット弁であるパイロットフロートによるパイロット弁口の開閉で変位する圧力応動部材により開閉制御せしめるものであって、パイロットフロートが浮上してパイロット弁口を開くと圧力応動部材が上方に駆動されてフロートが持ち上げられて主弁口を開き、パイロットフロートが降下してパイロット弁口を閉じると圧力応動部材がフロートの自重で下方に押し下げられてフロートが主弁口を閉じるものにおいて、パイロットフロートと圧力応動部材とを連結するパイロット通路に、パイロット通路を低温時に開き蒸気漏洩による高温時に閉じる感温応動弁を配置したものである。
【発明の効果】
【０００６】
本発明は、パイロットフロートが故障して閉弁できなくなった場合であっても、フロートが主弁口を開閉することができるので、多量の蒸気を漏出することがないという優れた効果を生じる。
【発明を実施するための最良の形態】
【０００７】
本発明は、パイロットフロートと圧力応動部材とを連結するパイロット通路に感温応動弁を配置し、感温応動弁がパイロット通路を低温時に開き蒸気漏洩による高温時に閉じるものである。そのため、パイロットフロートが故障して閉弁できなくなりパイロット通路に蒸気を漏出すると、パイロット通路の温度が高温になり、感温応動弁がパイロット通路を閉じる。パイロット通路が閉じられると圧力応動部材が閉弁方向に変位してフロートが主弁口を閉じる。その後、放熱によりパイロット通路の温度が低下すると感温応動弁がパイロット通路を開く。パイロット通路が開かれると圧力応動部材が開弁方向に変位してフロートが主弁口を開く。これにより、パイロットフロートが故障して閉弁できなくなった場合であっても、フロートが主弁口を開閉することができる。
【実施例１】
【０００８】
上記の技術的手段の具体例を示す実施例を説明する（図１参照）。
本体１に蓋部材２を締結して内部に弁室３を有するトラップケーシングを形成する。トラップケーシングの上部に入口４と出口５を同一軸上に形成する。弁室３と出口５を連通する主弁口６を開けた弁座７を弁室３の下部側方に取付ける。弁室３内に主弁口６を開閉する主弁体である中空球形のフロート８を自由状態で収容する。
【０００９】
弁室３の底壁で隔てて底蓋９との間に圧力室を形成する。圧力室内に圧力応動部材としてのピストン１０を配置し、圧力室を第１圧力室１１と第２圧力室１２とに気密的に仕切る。ピストン１０の上面に連結棒１３を取付ける。連結棒１３の先端は弁室３の底壁を気密的に貫通して弁室３内に延び、受け板１４を介してフロート８に当接する。第１圧力室１１と第２圧力室１２はピストン１０に開けた細孔１５を介して連結し、第１圧力室１１は出口側通路１６を介して出口５に連結する。
【００１０】
弁室３内には上端が開口し、下部に連通孔１７を開けた隔壁１８を設け、その入口４側に補助のパイロット弁である中空球形のパイロットフロート１９を自由状態で収容する。パイロットフロート１９は液面と共に浮上降下し、下部側方に形成したパイロット弁口２０を開閉する。パイロット弁口２０と第２圧力室１２をパイロット通路２１を介して連結する。パイロット通路２１に感温応動弁２２を配置する。
【００１１】
感温応動弁２２は、図２に一例を示す様に、流入口３６を有する上ケース３７と流出口３８を有する下ケース３９により内部に形成した弁室４０内に感温部材４１を配置したものである。感温部材４１は、上下壁部材４２，４３および上下ダイヤフラム４４，４５のそれぞれの外周縁を溶接し、上壁部材４２と上ダイヤフラム４４の間に膨脹媒体４６を封入し、下ダイヤフラム４５に弁部材４７を溶接したものである。膨脹媒体４６は、水、水より沸点の低い液体、或いはそれらの混合物で形成する。感温部材４１は、バネ４８で下方に付勢し、複数の通過窓４９を有する収容筒５０の段部５１に押圧する。感温部材４１の弁部材４７は、下方の弁座５２に離着座して導出路５３を開閉する。感温応動弁２２は、パイロットフロート１９がパイロット弁口２０を閉じることができなくなり、パイロット通路２１に蒸気を漏出してパイロット通路２１の温度が高温になると、膨脹媒体４６が膨脹して上下ダイヤフラム４４，４５を弁座５２方向に変位せしめ、弁部材４７が導出路５３を閉じることによりパイロット通路２１を閉じる。感温応動弁２２は、放熱によりパイロット通路２１の温度が低下すると、膨脹媒体４６が収縮して上下ダイヤフラム４４，４５が弁座５２から離れる方向に変位し、弁部材４７が導出路５３を開くことによりパイロット通路２１を開く。
【００１２】
入口４から流入する復水が微少または無いと、パイロットフロート１９は降下してパイロット弁口２０を閉じている。第２圧力室１２内の圧力は細孔１５を通して出口５側に抜けるため、ピストン１０がフロート８の自重で下方に押し下げられ、フロート８が弁座７に着座して主弁口６を閉じている。入口４から多量の復水が流入してくると、パイロットフロート１９は液面の上昇と共に浮上してパイロット弁口２０を開ける。パイロット弁口２０が開けられると、入口４側の復水が第２圧力室１２に供給され、第２圧力室１２内の圧力が上昇し、ピストン１０が上方に駆動されてフロート８が持ち上げられ、主弁口６が開いて復水が出口５に排出される。復水の排出により液面が低下すると、パイロットフロート１９は液面の低下と共に降下してパイロット弁口２０を閉じる。パイロット弁口２０が閉じられると、第２圧力室１２内の圧力が細孔１５を通して出口５側に抜け、ピストン１０がフロート８の自重で下方に押し下げられ、フロート８が弁座７に着座して主弁口６を閉じる。
【００１３】
感温応動弁２２は、パイロットフロート１９がパイロット弁口２０を閉じることができなくなり、パイロット通路２１に蒸気を漏出してパイロット通路２１の温度が高温になると、パイロット通路２１を閉じる。パイロット通路２１が閉じられると、第２圧力室１２内の圧力は細孔１５を通して出口５側に抜けるため、ピストン１０がフロート８の自重で下方に押し下げられ、フロート８が弁座７に着座して主弁口６を閉じる。感温応動弁２２は、放熱によりパイロット通路２１の温度が低下すると、パイロット通路２１を開く。パイロット通路２１が開かれると、入口４側の復水が第２圧力室１２に供給され、第２圧力室１２内の圧力が上昇し、ピストン１０が上方に駆動されてフロート８が持ち上げられ、主弁口６が開いて復水が出口５に排出される。
【図面の簡単な説明】
【００１４】
【図１】本発明の実施例のパイロット式スチームトラップの断面図である。
【図２】図１のパイロット式スチームトラップに用いる感温応動弁の断面図である。
【符号の説明】
【００１５】
１  本体
２  蓋部材
３  弁室
４  入口
５  出口
６  主弁口
８  フロート
１０  ピストン
１１  第１圧力室
１２  第２圧力室
１９  パイロットフロート
２０  パイロット弁口
２１  パイロット通路
２２  感温応動弁
【図１】
0004800093.tif 000002
【図２】
0004800093.tif 000003